(57)【特許請求の範囲】
【請求項１】
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを備えるスライドレールであって、
前記支持部材に支持されている複数のボールは、スライド方向に沿って実質的に等間隔で配置され、
前記外側レールは、スライド方向に沿って前記ボールの間隔と実質的に同じ間隔で配置され、前記内側レールの側に突出する複数の爪部が前記複数のボールに対応する位置に形成されている、
ことを特徴とするスライドレール。
【請求項２】
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを備えるスライドレールであって、
前記支持部材に支持されている複数のボールは、スライド方向に沿って実質的に等間隔で配置され、
前記内側レールは、スライド方向に沿って前記ボールの間隔と実質的に同じ間隔で配置され、前記外側レールの側に突出する複数の爪部が前記複数のボールに対応する位置に形成されている、
ことを特徴とするスライドレール。
【請求項３】
前記複数の爪部は、当接した前記ボールを押圧可能に構成されている、
ことを特徴とする請求項１または２に記載のスライドレール。
【請求項４】
前記複数の爪部のうち、嵌合するレールとの嵌合側の最も端に形成されている爪部は、他の爪部よりも前記ボールを強く押圧することができるように構成されている、
ことを特徴とする請求項３に記載のスライドレール。
【請求項５】
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを有するスライドレールと、
前記外側レールまたは前記内側レールのいずれか一方に固着され、前記スライドレールに沿って筐体から引き出し可能に構成された、電子機器を収納するユニット部と、を備える電子機器装置であって、
前記支持部材に支持されている複数のボールは、スライド方向に沿って実質的に等間隔で配置され、
前記外側レールは、スライド方向に沿って前記ボールの間隔と実質的に同じ間隔で配置され、前記内側レールの側に突出する複数の爪部が前記複数のボールに対応する位置に形成されている、
ことを特徴とする電子機器装置。
【請求項６】
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを有するスライドレールと、
前記外側レールまたは前記内側レールのいずれか一方に固着され、前記スライドレールに沿って筐体から引き出し可能に構成された、電子機器を収納するユニット部と、を備える電子機器装置であって、
前記支持部材に支持されている複数のボールは、スライド方向に沿って実質的に等間隔で配置され、
前記内側レールは、スライド方向に沿って前記ボールの間隔と実質的に同じ間隔で配置され、前記外側レールの側に突出する複数の爪部が前記複数のボールに対応する位置に形成されている、
ことを特徴とする電子機器装置。
【請求項７】
前記ユニット部は、収納する電子機器を変更可能に構成されている、
ことを特徴とする請求項５または６に記載の電子機器装置。
【発明の詳細な説明】
【０００１】
【発明の属する技術分野】
本発明は、スライドレール及び電子機器装置に関し、特に引き出し方向に複数のボールロック機構を設けることで、引き出し時の固定を確実にすることができるスライドレール、及びこのスライドレールを備える電子機器装置に関する。
【０００２】
【従来の技術】
例えば、図書館の貸出管理システム用端末は、故障時の保守やプリンタ用紙の補充のため、顧客の照合を行うためのカードリーダや出力結果を印字するためのプリンタを収納するユニット部が引き出し可能に構成されている。このようなシステムでのユニット部の引き出しのために、一般に、スライドレールが用いられている。
【０００３】
図８は、従来の貸出管理システム用端末に適用されているスライドレールの構成を示す斜視図である。図９は、図８のＣ−Ｃ断面図である。
これらの図に示すように、従来のスライドレールは、アウターチャンネル５１と、このアウターチャンネル５１の内側に嵌合し、アウターチャンネル５１に対してスライド可能に構成されたインターチャンネル５２と、このインターチャンネル５２の内側に嵌合し、インターチャンネル５２に対してスライド可能に構成されたインナーチャンネル５３とから構成されている。
【０００４】
アウターチャンネル５１とインターチャンネル５２との間には、上下にそれぞれ複数個のボールベアリング５４ａを回転可能に支持するリテーナ５４が介在している。インターチャンネル５２とインナーチャンネル５３との間には、上下にそれぞれ複数個のボールベアリング５５ａを回転可能に支持するリテーナ５５が介在している。そして、ボールベアリング５４ａ、５５ａの作用によってインターチャンネル５２及びインナーチャンネル５３が円滑にスライドし、インナーチャンネル５３に取り付けられたユニット部を引き出して、開くことができるようにするものである。
【０００５】
しかしながら、このようなスライドレールを用いた貸出管理システム用端末では、ユニット部を引き出すと、不安定な状態となってしまう。このとき、ユニット部に触れるなどして外力を加えるとユニット部が閉じてしまうことがあり、ユニット部内のプリンタに用紙を補充するなどの作業に困難を来す。このような作業の困難をさけるためには、用紙の補充作業を行っている以外の者がユニット部が閉じてしまわないように押さえていなければならない。
【０００６】
また、このようなスライドレールを傾斜した状態で設置する場合には、ボールベアリング５４ａ、５５ａの作用によって各レール間に生じる摩擦力が小さいために、引き出したユニット部が自然と閉じてしまうこととなる。このため、ユニット部内のプリンタの用紙の補充などの作業を一人の作業者で行うことは、完全に不可能なものとなっていた。
【０００７】
一方、実開平１−１０３０９３号公報には、レールの移動を防止するため、外側のレールにボールベアリングを押圧するためのロック用爪（当該公報では、ボールロック部と称する）を設けたスライドレールを備える磁気ディスク装置が開示されている。すなわち、この磁気ディスク装置では、磁気ヘッド円盤等を収納するユニット部（当該公報では、機構部デッキと称する）を引き出したときに、ロック用爪がボールベアリングを押圧する力によってスライドレールがふらつかないように固定しようとするものである。
【０００８】
しかしながら、この公報で開示されているスライドレールは、スライドレールに取り付けられたユニット部の重量を考慮したものではない。すなわち、スライドレールを傾斜して取り付けた場合に、ユニット部の重量によって生じる力が、ロック用爪がボールベアリングを押圧する力を越えると、ユニット部が閉じてしまうことがある。このため、ユニット部の重量が収納する部材によって変化する場合には、このスライドレールは十分な効果を発揮し得ない。これに対して、ボールベアリングを押圧する力が大きくなるようにロック用爪の大きさ、形状を調整することも考えられるが、こうした場合には、ユニット部の重量が軽い場合であっても、ユニット部の開閉に不必要に強い力を要することとなる。
【０００９】
【発明が解決しようとする課題】
本発明は、上記従来技術の問題点を解消するためになされたものであり、例えば、スライドレールに従って引き出されるユニット内の重量に関わらず、引き出し時の固定を確実にすることができ、かつ不必要に大きな力を加えなくても十分な固定力が得られるスライドレール、及びこのスライドレールを備える電子機器装置を提供することを目的とする。
【００１０】
【課題を解決するための手段】
上記目的を達成するため、本発明の第１の観点にかかるスライドレールは、
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを備え、
前記支持部材に支持されている複数のボールは、スライド方向に沿って実質的に等間隔で配置され、
前記外側レールは、スライド方向に沿って前記ボールの間隔と実質的に同じ間隔で配置され、前記内側レールの側に突出する複数の爪部が前記複数のボールに対応する位置に形成されている、
ことを特徴とする。
【００１１】
上記目的を達成するため、本発明の第２の観点にかかるスライドレールは、
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを備え、
前記支持部材に支持されている複数のボールは、スライド方向に沿って実質的に等間隔で配置され、
前記内側レールは、スライド方向に沿って前記ボールの間隔と実質的に同じ間隔で配置され、前記外側レールの側に突出する複数の爪部が前記複数のボールに対応する位置に形成されている、
ことを特徴とする。
【００１２】
上記の第１、第２の観点にかかるスライドレールにおいて、
前記複数の爪部は、当接した前記ボールを押圧可能に構成されたものである。
【００１３】
これら第１、第２の観点にかかるスライドレールでは、嵌合している外側レールまたは内側レールを引き出すと、前記複数のボールが１つずつ前記複数の爪部を越えていき、当接される。すなわち、外側レールまたは内側レールを引き出せば引き出すほど、爪部を越えるボールの数が多くなる。そして、爪部が前記ボールを押圧する力が徐々に強くなっていく。このため、引き出しの長さに従ってスライドレールをより強く固定することができる。また、不必要に強い力を以て外側レールまたは内側レールを引き出さなくても、十分な固定力を得られる。
【００１４】
上記の第１、第２の観点にかかるスライドレールにおいて、
前記複数の爪部のうち、嵌合するレールとの嵌合側の最も端に形成されている爪部は、他の爪部よりも前記ボールを強く押圧することができるように構成されていることを好適とする。
【００１５】
この場合、外側レールまたは内側レールを最大限に引き出したときは、レールの固定力がいっそう強くなる。従って、最大限に引き延ばしたときの固定力によって、加えられる外力によって容易に引き込まないように固定される。
【００１６】
なお、上記の第１、第２の観点にかかるスライドレールは、外側レールのさらに外側に同様のレールと、その間に介在するボールを保持する支持部材とを備えるものとしてもよい。そして、このような構成は、何段にも亘ってすることができる。すなわち、本発明は、２連式以上のあらゆる他連式のスライドレールに適用することができる。
【００１７】
上記目的を達成するため、本発明の第３の観点にかかる電子機器装置は、
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを有するスライドレールと、
前記外側レールまたは前記内側レールのいずれか一方に固着され、前記スライドレールに沿って筐体から引き出し可能に構成された、電子機器を収納するユニット部と、を備え、
前記支持部材に支持されている複数のボールは、スライド方向に沿って実質的に等間隔で配置され、
前記外側レールは、スライド方向に沿って前記ボールの間隔と実質的に同じ間隔で配置され、前記内側レールの側に突出する複数の爪部が前記複数のボールに対応する位置に形成されている、
ことを特徴とする。
【００１８】
上記目的を達成するため、本発明の第４の観点にかかる電子機器装置は、
外側レールと、この外側レールに嵌合し、前記外側レールに対してスライド可能に構成された内側レールと、前記外側レールと前記内側レールとの間に介在し、前記内側レールのスライド方向に沿って配置され、それぞれ前記外側レール及び前記内側レールに係合する複数のボールを回転可能に支持する支持部材とを有するスライドレールと、
前記外側レールまたは前記内側レールのいずれか一方に固着され、前記スライドレールに沿って筐体から引き出し可能に構成された、電子機器を収納するユニット部と、を備え、
前記支持部材に支持されている複数のボールは、スライド方向に沿って実質的に等間隔で配置され、
前記内側レールは、スライド方向に沿って前記ボールの間隔と実質的に同じ間隔で配置され、前記外側レールの側に突出する複数の爪部が前記複数のボールに対応する位置に形成されている、
ことを特徴とする。
【００１９】
上記第３、第４の観点にかかる電子機器装置において、
前記ユニット部は、収納する電子機器を変更可能に構成されているものとすることができる。
【００２０】
このようにユニット部に収納する電子機器が変更可能に構成されている場合は、ユニット部全体での重量も当然変化する。ここで、ユニット部全体の重量が重いときは、ユニット部を最大限に引き出して、スライドレールを最大限に引き延ばすことで、大きな固定力が得られる。一方、ユニット部全体の重量が軽いときには、ユニット部が外力によってふらつかないように十分な力が与えられるように、爪部がボールを押圧する力が得られるだけ、スライドレールを引き延ばせばよい。このため、不必要に大きな力を以てユニット部を引き出さなくても、ユニット部の固定に十分なものとなる。
【００２１】
【発明の実施の形態】
以下、添付図面を参照して、本発明の実施の形態について説明する。
【００２２】
［第１の実施の形態］
図１は、この実施の形態のスライドレール１が取り付けられた図書館の貸出管理システム用端末を示す斜視図である。この図では、ユニット部２を引き出した状態を示している。
【００２３】
この貸出管理システム用端末は、顧客の照合を行うためのカードリーダ２１や出力結果を印字するためのプリンタ２２を収納するユニット部２を備えている。ユニット部２は、スライドレール１に沿ってスライドするように構成されており、矢印Ａで示す方向に引き出せるようになっている。プリンタ２２は、ジャムが発生した用紙を取り除くために開閉できるカバー２３を備える。なお、この貸出管理システム用端末は、必要となる機能に応じてユニット部２内に収納する機器が変更できるように構成されている。すなわち、ユニット部２の重量は、その構成に応じて変化する。なお、スライドレール１は、筐体側に向かって下がるように傾斜して取り付けられており、ユニット部２を開いたときは、スライドレール１に沿った下向きの力が加わることとなる。
【００２４】
図２は、図１の貸出管理システム用端末に適用されているスライドレール１の構成を示す斜視図である。図３は、図２のＡ−Ａ断面図である。図４は、図２のＢ−Ｂ断面図である。
【００２５】
これらの図に示すように、スライドレール１は、アウターチャンネル１１と、このアウターチャンネル１１の内側に嵌合し、アウターチャンネル１１に対してスライド可能に構成されたインターチャンネル１２と、このインターチャンネル１２の内側に嵌合し、インターチャンネル１２に対してスライド可能に構成されたインナーチャンネル１３とから構成されている。インターチャンネル１２の長さは、アウターチャンネル１１の長さよりもわずかに短く、インナーチャンネル１３の長さはインターチャンネル１２の長さよりもわずかに短い。各チャンネル１１、１２、１３は、それぞれ金属製の薄板から構成されている。インナーチャンネル１３は、第１の実施の形態の場合と同様にユニット部２に取り付けられている。
【００２６】
アウターチャンネル１１とインターチャンネル１２との間には、上下にそれぞれ複数個のボールベアリング１４ａを回転可能に支持するリテーナ１４が介在している。インターチャンネル１２とインナーチャンネル１３との間には、上下にそれぞれ複数個のボールベアリング１５ａを回転可能に支持するリテーナ１５が介在している。ボールベアリング１４ａ、１５ａは、上下側ともスライド方向に沿って等間隔で複数配されている。各チャンネル１１、１２、１３は、それぞれボールベアリング１４ａ、１５ａと係合するように湾曲された形状で上下が折り曲げられている。
【００２７】
インターチャンネル１２とインナーチャンネル１３は、それぞれのスライド方向内側端部に、最大引き出し時にそれぞれリテーナ１４、１５に当接し、それぞれアウターチャンネル１１、インターチャンネル１２からはずれないようにするストッパ１２ａ、１３ａを備えている。
【００２８】
また、アウターチャンネル１１及びインターチャンネル１２の上側の折り曲げ部のスライド方向外側端部には、それぞれボールベアリング１４ａ、１５ｂに対応する位置でスライド方向に等間隔で形成された複数のロック用爪１１ａ、１２ａが設けられている。これらロック用爪１１ａ、１２ａの大きさ及び形状は、ユニット部２の引き出しが無理なく行え、かつユニット部２を引き出したときにインターチャンネル１２またはインナーチャンネル１３がスライド移動しないように固定できる適当な状態に調整されている。特に、それぞれのチャンネルで一番外側（図の左側）にあるロック用爪１１ａ、１２ａの大きさ及び形状は、ユニット部がかなりの重量となってもインターチャンネル１２或いはインナーチャンネル１３がスライド移動して戻らないようにすべく他のロック用爪よりも大きくなっており、ボールベアリング１４ａ、１５ａを固定する力が大きい。
【００２９】
この管理システム用端末において、ユニット部２を図１の矢印Ａの方向に引くと、まず、インナーチャンネル１３がスライド移動し始める。そして、インナーチャンネル１３の内側端部がインターチャンネル１２の中腹辺りまで到達すると、インターチャンネル１２がスライド移動し始める。こうして、ユニット部２がスライドレール１に沿って引き出される。
【００３０】
以下、この実施の形態のスライドレール１によるロック作用について、図５（Ａ）〜（Ｄ）を参照して説明する。
ここでは、インナーチャンネル１３とインターチャンネル１２との間でのロック作用について説明するが、インターチャンネル１２とアウターチャンネル１１との間でのロック作用についても同様である。
【００３１】
図５（Ａ）に示すように、ユニット部２を図１の矢印Ａの方向に引き出すことによって、インナーチャンネル１３をインターチャンネル１２から引き出しても、ボールベアリング１５ａがロック用爪１２ａを越えるまでは、インナーチャンネル１３は、ボールベアリング１５ａの潤滑作用によって滑らかにスライドさせられる。
【００３２】
この状態から、少し強めに力を加えてユニット部２を図１の矢印Ａの方向に引き出すことによって、図５（Ｂ）に示すように図の１番左上側のボールベアリング１４ａが１番右上側のロック用爪１２ａを越える。このとき、スライドレール１が傾斜して取り付けられていることから、インナーチャンネル１３は、ユニット部２の重量によって加えられる力によって引き戻されようとする。しかしながら、図の矢印で示すように、１番右上側のロック用爪１２ａが１番左上側のボールベアリング１４ａを押圧する。これにより、１番左上側のボールベアリング１４ａとインターチャンネル１２またはインナーチャンネル１３との間に働く摩擦力が増大する。これによって、インナーチャンネル１３が引き戻されないように固定され、ユニット部２が閉じないようになる。
【００３３】
しかし、図５（Ｂ）の状態では、ユニット部２にわずかな外力が加わったり、ユニット部２の重量が増加することによって、摩擦力によって固定する力がユニット部２の重量によってインナーチャンネル１３が引き戻される力を越えてしまうことがある。このとき、さらに力を加えてユニット部２を図１の矢印Ａの方向に引き出すことによって、図５（Ｃ）に示すように、図の１番左上側のボールベアリング１４ａが上側右から２番目のロック用爪１２ａを越える。これと共に、図の上側左から２番目のボールベアリング１４ａが１番右上側のロック用爪１２ａを越える。
【００３４】
これによって、図の矢印で示すように、１番右上側のロック用爪１２ａが上側左から２番目のボールベアリング１４ａを押圧すると共に、上側左から２番目のロック用爪１２ａが１番左上側のボールベアリング１４ａを押圧する。このため、生じる摩擦力が図５（Ｂ）の場合のほぼ２倍となり、より強い力を以てインナーチャンネル１３が引き戻されないように固定される。
【００３５】
さらに一層大きな力を加えてユニット部２を引き出すことによって、１番左上側のボールベアリング１４ａが１番左上側のロック用爪１２ａを越える。この１番左側のロック用爪１２ａは、他のロック用爪よりもボールベアリング１４ａを押圧する力が大きいため、ボールベアリング１４ａとインターチャンネル１２或いはインナーチャンネル１３との間に働く摩擦力が非常に大きくなる。さらには、左から２番目、３番目のロック用爪１２ａによる摩擦力も加わって、インナーチャンネル１３を固定する力は、非常に大きなものとなる。従って、ユニット部２の重量が相当重くなっても、或いはユニット部２に対して相当大きな外力が加わっても、ユニット部２がふらついたり、自然に閉じてしまうということを防ぐことができる。
【００３６】
なお、ユニット部２を閉じるときには、引き出した量に応じた力で閉じればよい。すなわち、ユニット部２がふらついたり閉じてしまったりしないだけの十分な長さで引き出しておけば、ユニット部２を閉じるときも不必要に大きな力を必要としない。
【００３７】
以上説明したように、この実施の形態のスライドレール１では、ユニット部２を引き出す量によって、インナーチャンネル１３をインターチャンネル１２に、或いはインターチャンネル１２をアウターチャンネル１１に固定する力が大きくなる。このため、ユニット部２の重量に応じて、適切な大きさの力でユニット部２を引き出せば、ユニット部２を十分に固定することができる。すなわち、ユニット部２の引き出しに不必要に大きい力を加える必要がない。
【００３８】
［第２の実施の形態］
上記の実施の形態では、スライドレールを構成する各レールで互いに嵌合するレールのうち、外側になるレール（アウターレール１１及びインターレール１２）にロック用爪１１ａ、１２ａを設けた場合について説明したが、この実施の形態では、内側になるレールにロック用爪を設けた場合について説明する。
【００３９】
図６は、この実施の形態のスライドレールの構成を示す断面図であり、図２のＢ−Ｂ線に対応する位置での断面を示すものである。
図示するように、この実施の形態のスライドレールは、アウターチャンネル１６と、このアウターチャンネル１６の内側に嵌合し、アウターチャンネル１６に対してスライド可能に構成されたインナーチャンネル１７とから構成されている。インナーチャンネル１７の長さは、アウターチャンネル１６の長さよりもわずかに短い。アウターチャンネル１６及びインナーチャンネル１７は、それぞれ金属製の薄板から構成されている。インナーチャンネル１７は、第１の実施の形態の場合と同様にユニット部に取り付けられている。
【００４０】
アウターチャンネル１６とインナーチャンネル１７との間には、上下にそれぞれ等間隔で複数個のボールベアリング１８ａを回転可能に支持するリテーナ１８が介在している。アウターチャンネル１６とインナーチャンネル１７は、それぞれボールベアリング１８ａと係合するように湾曲された形状で上下が折り曲げられている。アウターチャンネル１６のスライド方向外側端部には、最大引き出し時にリテーナ１８に当接し、インナーチャンネル１７がアウターチャンネル１６からはずれないようにするストッパ１６ａが設けられている。
【００４１】
また、インナーチャンネル１７の上下両側の折り曲げ部のスライド方向内側端部には、ボールベアリング１８ａに対応する位置でスライド方向に等間隔で形成された複数のロック用爪１７ａが設けられている。ボールベアリング１８ａは、上下側ともスライド方向に沿って複数配されている。これらロック用爪１７ａの大きさ及び形状は、インナーチャンネル１７に取り付けられたユニット部の引き出しが無理なく行え、かつユニット部を引き出したときにインナーチャンネル１６がスライド移動しないように固定できる適当な状態に調整されている。特に、一番外側（図の右側）にあるロック用爪１７ａの大きさ及び形状は、ユニット部がかなりの重量となってもインナーチャンネル１７がスライド移動して戻らないようにすべく他のロック用爪よりも大きくなっており、ボールベアリング１８ａを固定する力が大きい。
【００４２】
以下、この実施の形態のスライドレールによるロック作用について、図７（Ａ）、（Ｂ）を参照して説明する。
やや強めに力を加えてインナーチャンネル１７をアウターチャンネル１６から引き出すと、図７（Ａ）に示すように、図の１番右側（上下とも）のボールベアリング１８ａが１番左側（上下とも）のロック用爪１７ａを越える。このとき、インナーチャンネル１７をアウターチャンネル１６内に引き戻そうとする外力が加わっても、１番左側のロック用爪１７ａが１番右側のボールベアリング１８ａを押圧することによってボールベアリング１８ａとインナーチャンネル１７或いはアウターチャンネル１６との間に比較的大きな摩擦力が加わり、インナーチャンネル１７がアウターチャンネル１６の中に引き戻されない。すなわち、このスライドレールは固定された状態となる。
【００４３】
しかし、図７（Ａ）の状態では、インナーチャンネル１７に加わる外力が大きくなると、インナーチャンネル１７はアウターチャンネル１６の中に引き戻されてしまう。そこで、インナーチャンネル１７を引き出す量を大きくすれば、ロック用爪１７ａを越えるボールベアリング１８ａの数が増え、それに従ってスライドレールの固定力も大きくなる。
【００４４】
図７（Ｂ）に示すように、さらに大きな力を加えてインナーチャンネル１７をアウターチャンネル１６から引き出すと、１番右側（上下とも）のボールベアリング１８ａが１番右側（上下とも）のロック用爪１７ａを越える。この１番右側のロック用爪１７ａは、他のロック用爪よりもボールベアリング１８ａを押圧する力が大きいため、ボールベアリング１８ａとインナーチャンネル１７或いはアウターチャンネル１６との間に働く摩擦力が非常に大きくなる。さらには、左から３つ（上下とも）のロック用爪１２ａによる摩擦力も加わって、インナーチャンネル１７を固定する力が非常に大きなものとなり、さらにインターチャンネル１７ａをアウターチャンネル１６から引き出すのが困難となる。
【００４５】
以上説明したように、この実施の形態のスライドレールでは、ロック用爪１７ａを内側に嵌合するインナーチャンネル１７にスライド方向に沿って複数設けたことによって、引き出し長さを大きくするほどスライドレールの固定力が大きくなる。さらに、インナーチャンネル１７の嵌合側（図の右側）に設けたロック用爪がボールベアリング１８ａを押圧する力を大きくしたことで、インナーチャンネル１７がアウターチャンネル１６から容易に抜けないようになる。一方、インナーチャンネル１７の端部にストッパを設けていないので、かなり大きな力を以てインナーチャンネル１７をアウターチャンネル１６から引き出せば、インナーチャンネル１７をアウターチャンネル１６から取り外すことも可能となる。
【００４６】
［実施の形態の変形］
上記の第１の実施の形態では、アウターチャンネル１１及びインターチャンネル１２のそれぞれの上側にロック用爪１１ａ、１２ａを設けた場合について説明した。上記の第２の実施の形態では、インナーチャンネル１７の上下両側にロック用爪１７ａを設けた場合について説明した。しかしながら、本発明は、スライドレールの引き出し方向に複数のロック用爪を設けているのであれば、ボールベアリングが配された場所に対応するいずれか１カ所以上にロック用爪が設けられていればよい。
【００４７】
上記の第１の実施の形態では、３連式のスライドレール１について、第２の実施の形態では、２連式のスライドレールについて説明したが、本発明は４連式以上のスライドレールにも適用することができる。また、本発明は、実開平１−１０３０９３号公報に記載された磁気ディスク装置に適用されているスライドレールのように、２連式のスライドレースを組み合わせることによって実質的に３連式とするようなスライドレールにも適用することができる。さらには、それぞれ円筒形の外側レールと内側レールとで構成され、レールのスライド方向に複数設けられたボールベアリングを支持するリテーナとで構成されるスライドレールなどにも本発明を適用することができる。
【００４８】
上記の実施の形態では、本発明のスライドレール１を図書館の貸出管理システム用の端末に適用した場合について説明した。しかしながら、本発明は、磁気ディスク装置などのコンピュータ周辺装置や、銀行のオンラインシステム端末などのあらゆる電子機器装置に適用することが可能である。また、このような電子機器装置ばかりでなく、ビジネスデスクの引き出しなど、引き出し機構部を備えるあらゆるものに適用することができる。
【００４９】
【発明の効果】
以上説明したように、本発明のスライドレールによれば、引き出しの長さに従ってスライドレールをより強く固定することができる。また、不必要に強い力を以て外側レールまたは内側レールを引き出さなくても、十分な固定力を得られる。
【００５０】
また、本発明の電子機器装置によれば、重量に応じてユニット部を引き出すことで、スライドレールに十分な固定力が得られる。また、不必要な力を以てユニット部を引き出す必要がない。
【図面の簡単な説明】
【図１】本発明の実施の形態のスライドレールが取り付けられた図書館の貸出管理システム用端末を示す斜視図である。
【図２】本発明の第１の実施の形態のスライドレールの構成を示す斜視図である。
【図３】図２のＡ−Ａ断面図である。
【図４】図２のＢ−Ｂ断面図である。
【図５】本発明の第１の実施の形態のスライドレールによるロック作用を説明する図である。
【図６】本発明の第２の実施の形態のスライドレールの構成を示す断面図である。
【図７】本発明の第２の実施の形態のスライドレールによるロック作用を説明する図である。
【図８】従来例のスライドレールの構成を示す斜視図である。
【図９】図８のＣ−Ｃ断面図である。
【符号の説明】
１  スライドレール
２  ユニット部
１１  アウターチャンネル
１１ａ  ロック用爪
１２  インターチャンネル
１２ａ  ロック用爪
１３  インナーチャンネル
１３ａ  ストッパ
１４  リテーナ
１４ａ  ボールベアリング
１５  リテーナ
１５ａ  ボールベアリング
１６  アウターチャンネル
１６ａ  ストッパ
１７  インナーチャンネル
１７ａ  ロック用爪
１８  リテーナ
１８ａ  ボールベアリング
【図１】
0003667505.tif 000002
【図２】
0003667505.tif 000003
【図３】
0003667505.tif 000004
【図４】
0003667505.tif 000005
【図５】
0003667505.tif 000006
【図６】
0003667505.tif 000007
【図７】
0003667505.tif 000008
【図８】
0003667505.tif 000009
【図９】
0003667505.tif 000010